(57)【特許請求の範囲】
【請求項１】
作業者が作業に要した時間をユーザが分析することを支援する作業時間分析支援システムであって、
作業を開始してから作業を終了するまでの間に作業者が通過するべき位置の軌跡と、作業者が当該軌跡上の各位置を通過するべき時刻と、を表す理想軌跡情報の入力を受け付ける理想軌跡受付手段、
作業者が実際に通過した位置の軌跡と、作業者が当該軌跡上の各位置を実際に通過した時刻と、を表す検出軌跡情報の入力を受け付ける検出軌跡受付手段、
前記受け付けられた理想軌跡情報に基づいて、作業者が作業を開始するべき開始位置と、作業者が作業を終了するべき終了位置と、を特定する開始終了位置特定手段、
前記受け付けられた検出軌跡情報に基づいて、作業者が前記特定された開始位置を通過した時刻と、作業者が前記特定された終了位置を通過した時刻と、の時刻差を求める時刻差算出手段、
前記受け付けられた理想軌跡情報と、前記受け付けられた検出軌跡情報と、に基づいて、作業者が実行すべき作業とは無関係の作業のために無駄に消費された無駄時間を求める無駄時間算出手段、
前記求められた時刻差から、前記求められた無駄時間を減算して、作業者が作業に要した正味の作業時間を求める作業時間算出手段、
前記求められた正味の作業時間をユーザに提示する作業時間提示手段、
前記受け付けられた理想軌跡情報に基づいて、作業者が作業を開始するべき理想の開始時刻と、作業者が作業を終了するべき理想の終了時刻と、の理想の時刻差を求める理想時刻差算出手段、
前記時刻差算出手段により求められた時刻差が、前記理想時刻差算出手段により求められた理想の時刻差よりも短い場合、前記受け付けられた検出軌跡情報に基づいて、前記理想軌跡受付手段が受け付ける理想軌跡情報を補正する理想軌跡補正手段、を備える、
ことを特徴とする作業時間分析支援システム。
【請求項２】
請求項１に記載の作業時間分析支援システムであって、
前記無駄時間算出手段は、前記受け付けられた理想軌跡情報により表される軌跡からの距離が、所定の閾値以上である位置が、前記受け付けられた検出軌跡情報により表される軌跡上にある場合、作業者が当該位置に移動することにより消費された時間を前記無駄時間に含める、
ことを特徴とする作業時間分析支援システム。
【請求項３】
請求項１又は２に記載の作業時間分析支援システムであって、
前記無駄時間算出手段は、前記受け付けられた理想軌跡情報により表される軌跡と、前記受け付けられた検出軌跡情報により表される軌跡と、が所定の区間で一致する場合、当該理想軌跡情報に基づいて求められる、当該区間を通過するのに要するべき時間と、当該検出軌跡情報に基づいて求められる、当該区間を通過するのに実際に要した時間と、の時間差が、所定の閾値以上である場合、当該時間差を前記無駄時間に含める、
ことを特徴とする作業時間分析支援システム。
【請求項４】
作業者が作業に要した時間をユーザが分析することを支援する作業時間分析支援システムであって、
作業を開始してから作業を終了するまでの間に作業者が通過するべき位置の軌跡と、作業者が当該軌跡上の各位置を通過するべき時刻と、を表す理想軌跡情報の入力を受け付ける理想軌跡受付手段、
作業者が実際に通過した位置の軌跡と、作業者が当該軌跡上の各位置を実際に通過した時刻と、を表す検出軌跡情報の入力を受け付ける検出軌跡受付手段、
前記受け付けられた理想軌跡情報に基づいて、作業者が作業を開始するべき開始位置と、作業者が作業を終了するべき終了位置と、を特定する開始終了位置特定手段、
前記受け付けられた検出軌跡情報に基づいて、作業者が前記特定された開始位置を通過した時刻と、作業者が前記特定された終了位置を通過した時刻と、の時刻差を求める時刻差算出手段、
前記受け付けられた理想軌跡情報と、前記受け付けられた検出軌跡情報と、に基づいて、作業者が実行することを失念した作業を実行するために消費されることが予測される失念時間を求める失念時間算出手段、
前記求められた時刻差に、前記求められた失念時間を加算して、作業者が作業に要した正味の作業時間を求める作業時間算出手段、
前記求められた正味の作業時間をユーザに提示する作業時間提示手段、
前記受け付けられた理想軌跡情報に基づいて、作業者が作業を開始するべき理想の開始時刻と、作業者が作業を終了するべき理想の終了時刻と、の理想の時刻差を求める理想時刻差算出手段、
前記時刻差算出手段により求められた時刻差が、前記理想時刻差算出手段により求められた理想の時刻差よりも短い場合、前記受け付けられた検出軌跡情報に基づいて、前記理想軌跡受付手段が受け付ける理想軌跡情報を補正する理想軌跡補正手段、を備える、
ことを特徴とする作業時間分析支援システム。
【請求項５】
請求項１乃至４のいずれか１項に記載の作業時間分析支援システムであって、
それぞれが、作業場に設置され、設置位置を特定可能な情報を記憶する複数の設置位置記憶手段、
作業者により携帯され、前記複数の設置位置記憶手段のうち、少なくとも１つの設置位置記憶手段から、少なくとも１つの設置位置を特定可能な情報を読み出す設置位置読出手段、
前記読み出された少なくとも１つの設置位置を特定可能な情報に基づいて、作業者の位置を求める作業者位置算出手段、
前記位置が求められた時刻を取得する時刻取得手段、をさらに備え、
前記検出軌跡受付手段が受け付ける検出軌跡情報は、前記求められた位置と、前記取得された時刻と、から構成される情報である、
ことを特徴とする作業時間分析支援システム。
【請求項６】
請求項１乃至５のいずれか１項に記載の作業時間分析支援システムであって、
作業者の体調を表す情報を受け付ける体調受付手段、
前記求められた正味の作業時間を、前記受け付けられた作業者の体調を表す情報に基づいて補正する体調補正手段、をさらに備え、
前記作業時間提示手段は、前記体調補正手段により補正された正味の作業時間をユーザに提示する、
ことを特徴とする作業時間分析支援システム。
【請求項７】
請求項１乃至６のいずれか１項に記載の作業時間分析支援システムであって、
作業者の作業の経験年数を表す情報を受け付ける経験年数受付手段、
前記求められた正味の作業時間を、前記受け付けられた作業者の作業の経験年数を表す情報に基づいて補正する経験年数補正手段、をさらに備え、
前記作業時間提示手段は、前記経験年数補正手段により補正された正味の作業時間をユーザに提示する、
ことを特徴とする作業時間分析支援システム。
【請求項８】
請求項１乃至７のいずれか１項に記載の作業時間分析支援システムであって、
作業時の天候を表す情報を受け付ける天候受付手段、
前記求められた正味の作業時間を、前記受け付けられた作業時の天候を表す情報に基づいて補正する天候補正手段、をさらに備え、
前記作業時間提示手段は、前記天候補正手段により補正された正味の作業時間をユーザに提示する、
ことを特徴とする作業時間分析支援システム。
【請求項９】
請求項１乃至８のいずれか１項に記載の作業時間分析支援システムであって、
作業場の明度を表す情報を受け付ける明度受付手段、
前記求められた正味の作業時間を、前記受け付けられた作業場の明度を表す情報に基づいて補正する明度補正手段、をさらに備え、
前記作業時間提示手段は、前記明度補正手段により補正された正味の作業時間をユーザに提示する、
ことを特徴とする作業時間分析支援システム。
【請求項１０】
請求項１乃至９のいずれか１項に記載の作業時間分析支援システムであって、
前記作業は、不純物を含む原料から製品を生成する作業であり、
前記不純物の濃度を表す情報を受け付ける濃度受付手段、
前記求められた正味の作業時間を、前記受け付けられた不純物の濃度を表す情報に基づいて補正する濃度補正手段、をさらに備え、
前記作業時間提示手段は、前記濃度補正手段により補正された正味の作業時間をユーザに提示する、
ことを特徴とする作業時間分析支援システム。
【請求項１１】
コンピュータを、
作業者が作業に要した時間をユーザが分析することを支援する作業時間分析支援システムとして機能させるためのプログラムであって、
前記プログラムは、前記コンピュータを、
作業を開始してから作業を終了するまでの間に作業者が通過するべき位置の軌跡と、作業者が当該軌跡上の各位置を通過するべき時刻と、を表す理想軌跡情報の入力を受け付ける理想軌跡受付手段、
作業者が実際に通過した位置の軌跡と、作業者が当該軌跡上の各位置を実際に通過した時刻と、を表す検出軌跡情報の入力を受け付ける検出軌跡受付手段、
前記受け付けられた理想軌跡情報に基づいて、作業者が作業を開始するべき開始位置と、作業者が作業を終了するべき終了位置と、を特定する開始終了位置特定手段、
前記受け付けられた検出軌跡情報に基づいて、作業者が前記特定された開始位置を通過した時刻と、作業者が前記特定された終了位置を通過した時刻と、の時刻差を求める時刻差算出手段、
前記受け付けられた理想軌跡情報と、前記受け付けられた検出軌跡情報と、に基づいて、作業者が実行すべき作業とは無関係の作業のために無駄に消費された無駄時間を求める無駄時間算出手段、
前記求められた時刻差から、前記求められた無駄時間を減算して、作業者が作業に要した正味の作業時間を求める作業時間算出手段、
前記求められた正味の作業時間をユーザに提示する作業時間提示手段、
前記受け付けられた理想軌跡情報に基づいて、作業者が作業を開始するべき理想の開始時刻と、作業者が作業を終了するべき理想の終了時刻と、の理想の時刻差を求める理想時刻差算出手段、
前記時刻差算出手段により求められた時刻差が、前記理想時刻差算出手段により求められた理想の時刻差よりも短い場合、前記受け付けられた検出軌跡情報に基づいて、前記理想軌跡受付手段が受け付ける理想軌跡情報を補正する理想軌跡補正手段、として機能させる、
ことを特徴とするプログラム。
【請求項１２】
コンピュータを、
作業者が作業に要した時間をユーザが分析することを支援する作業時間分析支援システムとして機能させるためのプログラムであって、
前記プログラムは、前記コンピュータを、
作業を開始してから作業を終了するまでの間に作業者が通過するべき位置の軌跡と、作業者が当該軌跡上の各位置を通過するべき時刻と、を表す理想軌跡情報の入力を受け付ける理想軌跡受付手段、
作業者が実際に通過した位置の軌跡と、作業者が当該軌跡上の各位置を実際に通過した時刻と、を表す検出軌跡情報の入力を受け付ける検出軌跡受付手段、
前記受け付けられた理想軌跡情報に基づいて、作業者が作業を開始するべき開始位置と、作業者が作業を終了するべき終了位置と、を特定する開始終了位置特定手段、
前記受け付けられた検出軌跡情報に基づいて、作業者が前記特定された開始位置を通過した時刻と、作業者が前記特定された終了位置を通過した時刻と、の時刻差を求める時刻差算出手段、
前記受け付けられた理想軌跡情報と、前記受け付けられた検出軌跡情報と、に基づいて、作業者が実行することを失念した作業を実行するために消費されることが予測される失念時間を求める失念時間算出手段、
前記求められた時刻差に、前記求められた失念時間を加算して、作業者が作業に要した正味の作業時間を求める作業時間算出手段、
前記求められた正味の作業時間をユーザに提示する作業時間提示手段、
前記受け付けられた理想軌跡情報に基づいて、作業者が作業を開始するべき理想の開始時刻と、作業者が作業を終了するべき理想の終了時刻と、の理想の時刻差を求める理想時刻差算出手段、
前記時刻差算出手段により求められた時刻差が、前記理想時刻差算出手段により求められた理想の時刻差よりも短い場合、前記受け付けられた検出軌跡情報に基づいて、前記理想軌跡受付手段が受け付ける理想軌跡情報を補正する理想軌跡補正手段、として機能させる、
ことを特徴とするプログラム。
【発明の詳細な説明】
【技術分野】
【０００１】
本発明は、作業者が作業に要した時間をユーザが分析することを支援するのに好適な作業時間分析支援システム、ならびに、これらをコンピュータにより実現するためのプログラムに関する。
【背景技術】
【０００２】
製品の生産に要する原価を計算する装置が知られている。例えば、特許文献１には、製品の生産工程に関する情報を管理して、製品の生産に要する原価を効率的に計算することができるコスト計算装置が開示されている。
【０００３】
製品の生産管理者は、このようなコスト計算装置によって計算された原価に基づいて、生産設備を増設することを決定したり、原価削減を実現したりすることができる。ところで、製品の生産に要する原価は、材料費と人件費とに大別される。ここで、人件費は、概して言えば、製品の生産に関する作業を行う作業者の単位時間当たりの賃金と、当該作業者が当該作業を開始してから終了するまでの作業時間と、の積である。
【発明の概要】
【発明が解決しようとする課題】
【０００４】
しかしながら、作業時間は、作業に使用する機械の不具合、作業者の体調、作業者の作業の経験年数、作業時の天候、作業場の明度（明るさ）、ならびに、原材料に含まれる不純物の濃度など、様々な要因により変動するものである。また、作業時間は、作業者が実行する非効率的な作業によって大きく変動する。なお、非効率的な作業とは、例えば、生産に必要な工具や材料が作業場に用意されていないために、作業者がこれらを取りに行く作業である。このため、作業時間に基づいて計算される原価も、様々な要因により変動していた。従って、作業効率に影響を与える様々な要因を考慮して、原価を分析したいという要望が強かった。
【０００５】
本発明は、上記問題に鑑みてなされたものであり、作業者が作業に要した時間をユーザが分析することを支援するのに好適な作業時間分析支援システム、ならびに、これらをコンピュータにより実現するためのプログラムを提供することを目的とする。
【課題を解決するための手段】
【０００６】
上記目的を達成するために、本発明の第１の観点に係る作業時間分析支援システムは、
作業者が作業に要した時間をユーザが分析することを支援する作業時間分析支援システムであって、
作業を開始してから作業を終了するまでの間に作業者が通過するべき位置の軌跡と、作業者が当該軌跡上の各位置を通過するべき時刻と、を表す理想軌跡情報の入力を受け付ける理想軌跡受付手段、
作業者が実際に通過した位置の軌跡と、作業者が当該軌跡上の各位置を実際に通過した時刻と、を表す検出軌跡情報の入力を受け付ける検出軌跡受付手段、
前記受け付けられた理想軌跡情報に基づいて、作業者が作業を開始するべき開始位置と、作業者が作業を終了するべき終了位置と、を特定する開始終了位置特定手段、
前記受け付けられた検出軌跡情報に基づいて、作業者が前記特定された開始位置を通過した時刻と、作業者が前記特定された終了位置を通過した時刻と、の時刻差を求める時刻差算出手段、
前記受け付けられた理想軌跡情報と、前記受け付けられた検出軌跡情報と、に基づいて、作業者が実行すべき作業とは無関係の作業のために無駄に消費された無駄時間を求める無駄時間算出手段、
前記求められた時刻差から、前記求められた無駄時間を減算して、作業者が作業に要した正味の作業時間を求める作業時間算出手段、
前記求められた正味の作業時間をユーザに提示する作業時間提示手段、
前記受け付けられた理想軌跡情報に基づいて、作業者が作業を開始するべき理想の開始時刻と、作業者が作業を終了するべき理想の終了時刻と、の理想の時刻差を求める理想時刻差算出手段、
前記時刻差算出手段により求められた時刻差が、前記理想時刻差算出手段により求められた理想の時刻差よりも短い場合、前記受け付けられた検出軌跡情報に基づいて、前記理想軌跡受付手段が受け付ける理想軌跡情報を補正する理想軌跡補正手段、を備える、
ことを特徴とする。
【０００８】
前記無駄時間算出手段は、前記受け付けられた理想軌跡情報により表される軌跡からの距離が、所定の閾値以上である位置が、前記受け付けられた検出軌跡情報により表される軌跡上にある場合、作業者が当該位置に移動することにより消費された時間を前記無駄時間に含めてもよい。
【０００９】
前記無駄時間算出手段は、前記受け付けられた理想軌跡情報により表される軌跡と、前記受け付けられた検出軌跡情報により表される軌跡と、が所定の区間で一致する場合、当該理想軌跡情報に基づいて求められる、当該区間を通過するのに要するべき時間と、当該検出軌跡情報に基づいて求められる、当該区間を通過するのに実際に要した時間と、の時間差が、所定の閾値以上である場合、当該時間差を前記無駄時間に含めてもよい。
【００１０】
上記目的を達成するために、本発明の第２の観点に係る作業時間分析支援システムは、
作業者が作業に要した時間をユーザが分析することを支援する作業時間分析支援システムであって、
作業を開始してから作業を終了するまでの間に作業者が通過するべき位置の軌跡と、作業者が当該軌跡上の各位置を通過するべき時刻と、を表す理想軌跡情報の入力を受け付ける理想軌跡受付手段、
作業者が実際に通過した位置の軌跡と、作業者が当該軌跡上の各位置を実際に通過した時刻と、を表す検出軌跡情報の入力を受け付ける検出軌跡受付手段、
前記受け付けられた理想軌跡情報に基づいて、作業者が作業を開始するべき開始位置と、作業者が作業を終了するべき終了位置と、を特定する開始終了位置特定手段、
前記受け付けられた検出軌跡情報に基づいて、作業者が前記特定された開始位置を通過した時刻と、作業者が前記特定された終了位置を通過した時刻と、の時刻差を求める時刻差算出手段、
前記受け付けられた理想軌跡情報と、前記受け付けられた検出軌跡情報と、に基づいて、作業者が実行することを失念した作業を実行するために消費されることが予測される失念時間を求める失念時間算出手段、
前記求められた時刻差に、前記求められた失念時間を加算して、作業者が作業に要した正味の作業時間を求める作業時間算出手段、
前記求められた正味の作業時間をユーザに提示する作業時間提示手段、
前記受け付けられた理想軌跡情報に基づいて、作業者が作業を開始するべき理想の開始時刻と、作業者が作業を終了するべき理想の終了時刻と、の理想の時刻差を求める理想時刻差算出手段、
前記時刻差算出手段により求められた時刻差が、前記理想時刻差算出手段により求められた理想の時刻差よりも短い場合、前記受け付けられた検出軌跡情報に基づいて、前記理想軌跡受付手段が受け付ける理想軌跡情報を補正する理想軌跡補正手段、を備える、
ことを特徴とする。
【００１２】
それぞれが、作業場に設置され、設置位置を特定可能な情報を記憶する複数の設置位置記憶手段、
作業者により携帯され、前記複数の設置位置記憶手段のうち、少なくとも１つの設置位置記憶手段から、少なくとも１つの設置位置を特定可能な情報を読み出す設置位置読出手段、
前記読み出された少なくとも１つの設置位置を特定可能な情報に基づいて、作業者の位置を求める作業者位置算出手段、
前記位置が求められた時刻を取得する時刻取得手段、をさらに備え、
前記検出軌跡受付手段が受け付ける検出軌跡情報は、前記求められた位置と、前記取得された時刻と、から構成される情報であってもよい。
【００１３】
作業者の体調を表す情報を受け付ける体調受付手段、
前記求められた正味の作業時間を、前記受け付けられた作業者の体調を表す情報に基づいて補正する体調補正手段、をさらに備え、
前記作業時間提示手段は、前記体調補正手段により補正された正味の作業時間をユーザに提示してもよい。
【００１４】
作業者の作業の経験年数を表す情報を受け付ける経験年数受付手段、
前記求められた正味の作業時間を、前記受け付けられた作業者の作業の経験年数を表す情報に基づいて補正する経験年数補正手段、をさらに備え、
前記作業時間提示手段は、前記経験年数補正手段により補正された正味の作業時間をユーザに提示してもよい。
【００１５】
作業時の天候を表す情報を受け付ける天候受付手段、
前記求められた正味の作業時間を、前記受け付けられた作業時の天候を表す情報に基づいて補正する天候補正手段、をさらに備え、
前記作業時間提示手段は、前記天候補正手段により補正された正味の作業時間をユーザに提示してもよい。
【００１６】
作業場の明度を表す情報を受け付ける明度受付手段、
前記求められた正味の作業時間を、前記受け付けられた作業場の明度を表す情報に基づいて補正する明度補正手段、をさらに備え、
前記作業時間提示手段は、前記明度補正手段により補正された正味の作業時間をユーザに提示してもよい。
【００１７】
前記作業は、不純物を含む原料から製品を生成する作業であり、
前記不純物の濃度を表す情報を受け付ける濃度受付手段、
前記求められた正味の作業時間を、前記受け付けられた不純物の濃度を表す情報に基づいて補正する濃度補正手段、をさらに備え、
前記作業時間提示手段は、前記濃度補正手段により補正された正味の作業時間をユーザに提示してもよい。
【００１８】
上記目的を達成するために、本発明の第３の観点に係るプログラムは、
コンピュータを、
作業者が作業に要した時間をユーザが分析することを支援する作業時間分析支援システムとして機能させるためのプログラムであって、
前記プログラムは、前記コンピュータを、
作業を開始してから作業を終了するまでの間に作業者が通過するべき位置の軌跡と、作業者が当該軌跡上の各位置を通過するべき時刻と、を表す理想軌跡情報の入力を受け付ける理想軌跡受付手段、
作業者が実際に通過した位置の軌跡と、作業者が当該軌跡上の各位置を実際に通過した時刻と、を表す検出軌跡情報の入力を受け付ける検出軌跡受付手段、
前記受け付けられた理想軌跡情報に基づいて、作業者が作業を開始するべき開始位置と、作業者が作業を終了するべき終了位置と、を特定する開始終了位置特定手段、
前記受け付けられた検出軌跡情報に基づいて、作業者が前記特定された開始位置を通過した時刻と、作業者が前記特定された終了位置を通過した時刻と、の時刻差を求める時刻差算出手段、
前記受け付けられた理想軌跡情報と、前記受け付けられた検出軌跡情報と、に基づいて、作業者が実行すべき作業とは無関係の作業のために無駄に消費された無駄時間を求める無駄時間算出手段、
前記求められた時刻差から、前記求められた無駄時間を減算して、作業者が作業に要した正味の作業時間を求める作業時間算出手段、
前記求められた正味の作業時間をユーザに提示する作業時間提示手段、
前記受け付けられた理想軌跡情報に基づいて、作業者が作業を開始するべき理想の開始時刻と、作業者が作業を終了するべき理想の終了時刻と、の理想の時刻差を求める理想時刻差算出手段、
前記時刻差算出手段により求められた時刻差が、前記理想時刻差算出手段により求められた理想の時刻差よりも短い場合、前記受け付けられた検出軌跡情報に基づいて、前記理想軌跡受付手段が受け付ける理想軌跡情報を補正する理想軌跡補正手段、として機能させる、
ことを特徴とする。
上記目的を達成するために、本発明の第４の観点に係るプログラムは、
コンピュータを、
作業者が作業に要した時間をユーザが分析することを支援する作業時間分析支援システムとして機能させるためのプログラムであって、
前記プログラムは、前記コンピュータを、
作業を開始してから作業を終了するまでの間に作業者が通過するべき位置の軌跡と、作業者が当該軌跡上の各位置を通過するべき時刻と、を表す理想軌跡情報の入力を受け付ける理想軌跡受付手段、
作業者が実際に通過した位置の軌跡と、作業者が当該軌跡上の各位置を実際に通過した時刻と、を表す検出軌跡情報の入力を受け付ける検出軌跡受付手段、
前記受け付けられた理想軌跡情報に基づいて、作業者が作業を開始するべき開始位置と、作業者が作業を終了するべき終了位置と、を特定する開始終了位置特定手段、
前記受け付けられた検出軌跡情報に基づいて、作業者が前記特定された開始位置を通過した時刻と、作業者が前記特定された終了位置を通過した時刻と、の時刻差を求める時刻差算出手段、
前記受け付けられた理想軌跡情報と、前記受け付けられた検出軌跡情報と、に基づいて、作業者が実行することを失念した作業を実行するために消費されることが予測される失念時間を求める失念時間算出手段、
前記求められた時刻差に、前記求められた失念時間を加算して、作業者が作業に要した正味の作業時間を求める作業時間算出手段、
前記求められた正味の作業時間をユーザに提示する作業時間提示手段、
前記受け付けられた理想軌跡情報に基づいて、作業者が作業を開始するべき理想の開始時刻と、作業者が作業を終了するべき理想の終了時刻と、の理想の時刻差を求める理想時刻差算出手段、
前記時刻差算出手段により求められた時刻差が、前記理想時刻差算出手段により求められた理想の時刻差よりも短い場合、前記受け付けられた検出軌跡情報に基づいて、前記理想軌跡受付手段が受け付ける理想軌跡情報を補正する理想軌跡補正手段、として機能させる、
ことを特徴とする。
【発明の効果】
【００１９】
本発明によれば、作業者が作業に要した時間をユーザが分析することを支援することができる。
【図面の簡単な説明】
【００２０】
【図１】本発明の実施の形態に係る作業時間分析支援システムの構成を示すブロック図である。
【図２】ハードディスクに記憶される情報を示す図である。
【図３】（Ａ）は、体調テーブルを示す図である。（Ｂ）は、経験年数テーブルを示す図である。
【図４】（Ａ）は、天候テーブルを示す図である。（Ｂ）は、明度テーブルを示す図である。（Ｃ）は、濃度テーブルを示す図である。
【図５】ＲＦＩＤリーダの構成を示すブロック図である。
【図６】本発明の実施の形態に係る作業時間分析支援システムの基本的な機能を説明するためのブロック図である。
【図７】作業時間分析支援システムが実行する検出軌跡取得処理を示すフローチャートである。
【図８】検出軌跡情報と理想軌跡情報とを説明するための図である。
【図９】作業者の位置を取得する手法を説明するための図である。
【図１０】本発明の実施の形態に係る作業時間分析支援システムが実行する作業時間提示処理を示すフローチャートである。
【図１１】変形例に係る作業時間分析支援システムが実行する作業時間提示処理を示すフローチャートである。
【発明を実施するための形態】
【００２１】
以下、本発明の実施形態を、図面を参照して説明する。
【００２２】
図１は、本発明の実施形態に係る作業時間分析支援システム１００の構成を示すブロック図である。
図１に示すように、作業時間分析支援システム１００は、作業時間分析支援装置１０と、ＲＦＩＤ（Ｒａｄｉｏ  Ｆｒｅｑｕｅｎｃｙ  ＩＤｅｎｔｉｆｉｃａｔｉｏｎ）リーダ２０と、複数のＩＣ（Ｉｎｔｅｇｒａｔｅｄ  Ｃｉｒｃｕｉｔ）タグ３０と、体調測定器４０と、を備える。なお、図１には、通信ネットワーク５０と、外部サーバ６０と、が示されているが、作業時間分析支援システム１００は、これらの構成を含まないものとして説明する。また、本実施形態においては、「作業」とは、「金型を用いて原材料から製品を生産する作業の一部の作業」のことを意味するものとする。
【００２３】
図１に示すように、作業時間分析支援装置１０は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、ハードディスク１４と、ＵＳＢ（Ｕｎｉｖｅｒｓａｌ  Ｓｅｒｉａｌ  Ｂｕｓ）インターフェース１５と、キーボード１６と、モニター１７と、ＮＩＣ（Ｎｅｔｗｏｒｋ  Ｉｎｔｅｒｆａｃｅ  Ｃａｒｄ）１８と、を備える。作業時間分析支援装置１０が備える各構成要素はバスを介して接続される。作業時間分析支援装置１０は、例えば、パーソナルコンピュータにより構成することができる。
【００２４】
ＣＰＵ１１は、ハードディスク１４に記憶されたプログラムに従って作業時間分析支援装置１０全体の動作を制御する。ＣＰＵ１１は、各構成要素とバスを介して接続され、制御信号やデータのやりとりをする。
【００２５】
ＲＯＭ１２は、電源投入直後に実行されるＩＰＬ（Ｉｎｉｔｉａｌ  Ｐｒｏｇｒａｍ  Ｌｏａｄｅｒ）を記憶する。ＩＰＬが実行された後、ＣＰＵ１１は、ハードディスク１４に記憶されたプログラムをＲＡＭ１３に読み出して実行する。
【００２６】
ＲＡＭ１３は、データやプログラムを一時的に記憶する。ＲＡＭ１３は、ハードディスク１４から読み出されたプログラムや、作業時間提示処理に必要なデータ等を一時記憶する。
【００２７】
ハードディスク１４は、ＣＰＵ１１により実行されるプログラムを記憶する。また、ハードディスク１４は、作業時間提示処理に必要な情報を記憶する。ここで、図２を参照して、ハードディスク１４に記憶される情報について詳細に説明する。
【００２８】
図２に示すように、ハードディスク１４は、理想軌跡情報１４１と、検出軌跡情報１４２と、体調テーブル１４３と、経験年数テーブル１４４と、天候テーブル１４５と、明度テーブル１４６と、濃度テーブル１４７と、体調情報１５３と、経験年数情報１５４と、天候情報１５５と、明度情報１５６と、濃度情報１５７と、を記憶する。
【００２９】
理想軌跡情報１４１は、作業場内において作業中に作業者が通過する理想的な位置（以下「理想通過位置」という。）の軌跡（以下「理想軌跡」という。）、ならびに、作業者が当該理想軌跡上の各理想通過位置を通過する理想的な時刻（以下「理想通過時刻」という。）、を表す情報である。理想軌跡情報１４１は、例えば、理想通過位置と理想通過時刻との組から構成される、複数のレコードにより表現される。なお、理想通過位置は、例えば、Ｘ座標とＹ座標とを用いて表現される。また、理想通過時刻は、例えば、時分秒により表現される。
【００３０】
検出軌跡情報１４２は、作業場内において作業中に作業者が通過したことが検出された位置（以下「検出位置」という。）の軌跡（以下「検出軌跡」という。）、ならびに、作業者が当該軌跡上の各位置を通過したことが検出された時刻（以下「検出時刻」という。）、を表す情報である。検出軌跡情報１４２は、例えば、検出位置と検出時刻との組から構成される、複数のレコードにより表現される。なお、検出位置は、例えば、Ｘ座標とＹ座標とを用いて表現される。また、検出時刻は、例えば、時分秒により表現される。
【００３１】
体調テーブル１４３は、作業者の体調と作業者の作業速度との関係を表すテーブルである。体調は、例えば、血圧、体温、心拍数などに基づいて決定される体調係数により表される。本実施形態では、体調係数は、体調が最も良い場合を１００％として、体調が悪くなるほど小さくなるものとする。また、作業速度は、作業速度係数により表される。本実施形態では、作業速度係数は、作業速度が最も速い場合を１００％として、作業速度が遅くなるほど小さくなるものとする。図３（Ａ）に、体調テーブル１４３の例を示す。図３（Ａ）には、体調係数と作業速度係数とが一致する例、つまり、体調係数が低くなるほど作業速度係数が小さくなる例を示す。このように体調テーブル１４３が設定されるのは、作業者の体調が悪いほど、作業者の作業速度が遅くなることが一般的だからである。
【００３２】
経験年数テーブル１４４は、作業者の作業の経験年数と作業者の作業速度との関係を表すテーブルである。経験年数は、例えば、経験年数を表す数値により表される。図３（Ｂ）に、経験年数テーブル１４４の例を示す。図３（Ｂ）には、経験年数が短いほど作業速度係数が小さくなる例を示す。経験年数テーブル１４４がこのように設定されるのは、作業者の経験年数が短いほど、作業者の作業速度が遅くなることが一般的だからである。
【００３３】
天候テーブル１４５は、作業時の天候と作業者の作業速度との関係を表すテーブルである。天候は、例えば、天候を表す文字列により表される。図４（Ａ）に、天候テーブル１４５の例を示す。図４（Ａ）には、天候が悪天候（例えば、雨、雷、もしくは、雪）である場合に、作業速度係数が小さくなる例を示す。天候テーブル１４５がこのように設定されるのは、天候が悪天候である場合には、作業者の作業速度が遅くなることが一般的だからである。例えば、雨のときは、床が滑るため、移動速度が制限される可能性がある。また、雷のときには、音が良く聞こえないために、作業が遅くなる可能性がある。さらに、雪のときには、寒さで手が悴んで作業が遅くなる可能性がある。
【００３４】
明度テーブル１４６は、作業場の明るさと作業者の作業速度との関係を表すテーブルである。明るさは、例えば、照度レベルを表す数値により表される。図４（Ｂ）に、明度テーブル１４６の例を示す。図４（Ｂ）には、照度レベルが下がるほど、作業速度係数が小さくなる例を示す。明度テーブル１４６がこのように設定されるのは、作業場の照度レベルが下がるほど、作業者の作業速度が遅くなることが一般的だからである。例えば、作業者が行うべき作業が、精密機器の部品を組み込む作業である場合、作業場の明るさが暗くなると作業効率が落ちる可能性がある。
【００３５】
濃度テーブル１４７は、生産に用いられる原材料に含まれる不純物の濃度と作業者の作業速度との関係を表すテーブルである。不純物の濃度は、例えば、原材料に含まれる浮遊粒子状物質量を表す数値により表される。図４（Ｃ）に、濃度テーブル１４７の例を示す。図４（Ｃ）には、浮遊粒子状物質量が増加するほど、作業速度係数が小さくなる例を示す。濃度テーブル１４７がこのように設定されるのは、原材料に含まれる浮遊粒子状物質量が増加するほど、作業者の作業速度が遅くなることが一般的だからである。
【００３６】
体調情報１５３は、作業者の体調を表す情報である。作業者の体調は、例えば、体調測定器４０により測定された、作業者の血圧、体温、心拍数などに基づいて決定される体調係数により表される。体調係数は、作業者の血圧、体温ならびに心拍数が、これらの正常範囲にある場合に１００％に決定され、正常範囲から外れるほど小さな値に設定される。
【００３７】
経験年数情報１５４は、作業者の作業の経験年数を表す情報である。経験年数は、例えば、数値で表される。
【００３８】
天候情報１５５は、作業時の天候を表す情報である。作業時の天候は、例えば、晴れ、曇り、雨、雷、もしくは、雪などの天候を表す文字列により表される。
【００３９】
明度情報１５６は、作業場の明るさを表す情報である。作業場の明るさは、例えば、照度レベルを表す数値により表される。
【００４０】
濃度情報１５７は、生産に用いられる原材料に含まれる不純物の濃度を表す情報である。不純物の濃度は、例えば、原材料に含まれる浮遊粒子状物質量を表す数値により表される。
【００４１】
ハードディスク１４に記憶されているこれらの情報は、あらかじめハードディスクに記憶されていても良いし、外部から供給されてもよい。
本実施形態においては、理想軌跡情報１４１、体調テーブル１４３、経験年数テーブル１４４、天候テーブル１４５、明度テーブル１４６、濃度テーブル１４７、経験年数情報１５４、天候情報１５５、明度情報１５６ならびに濃度情報１５７は、外部サーバ６０からハードディスク１４に供給されるものとする。一方、検出軌跡情報１４２は、後述する検出軌跡取得処理において、ＲＦＩＤリーダ２０からハードディスク１４に供給されるものとする。また、体調情報１５３は、体調測定器４０からハードディスク１４に供給されるものとする。
【００４２】
ＵＳＢインターフェース１５は、ＣＰＵ１１による制御のもと、ＲＦＩＤリーダ２０から検出軌跡情報１４２を受け付け、また、体調測定器４０から体調情報１５３を受け付ける。なお、作業時間分析支援装置１０は、ＵＳＢインターフェース１５の代わりにフレキシブルディスクドライブを備えていてもよいし、ＵＳＢインターフェース１５に加えてフレキシブルディスクドライブを備えていてもよい。この場合、ＣＰＵ１１は、フレキシブルディスクドライブに挿入されたフレキシブルディスクに記憶されている検出軌跡情報１４２もしくは体調情報１５３をハードディスク１４に記憶する。
【００４３】
キーボード１６は、ユーザから、各種の操作入力を受け付ける。なお、作業時間分析支援装置１０は、キーボード１６の代わりにマウスを備えていてもよいし、キーボード１６に加えてマウスを備えていてもよい。
【００４４】
モニター１７は、ＣＰＵ１１による制御のもと、作業時間を提示する画面などを表示する。モニター１７は、例えば、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）などから構成される。
【００４５】
ＮＩＣ１８は、ＣＰＵ１１による制御のもと、通信ネットワーク５０を介して、外部サーバ６０との間で各種情報を送受信する。
【００４６】
ＲＦＩＤリーダ２０は、ＩＣタグ３０に記憶されているタグＩＤを読取可能な装置であり、作業者に携帯される装置である。ＲＦＩＤリーダ２０は、例えば、作業者の靴に組み込むことができる。
図５に示すように、ＲＦＩＤリーダ２０は、計時部２１と、タグ読取部２２と、タグ位置記憶部２３と、検出位置計算部２４と、検出軌跡記憶部２５と、検出軌跡出力部２６と、を備える。
【００４７】
計時部２１は、現在時刻を出力する。計時部２１は、例えば、ＲＴＣ（Ｒｅａｌ  Ｔｉｍｅ  Ｃｌｏｃｋ）により構成される。
【００４８】
タグ読取部２２は、計時部２１から供給される現在時刻が、所定の検出時刻になる度に、電波などを用いて、通信可能なＩＣタグ３０からタグＩＤを読み取る。検出時刻は、例えば、１０秒毎に到来する時刻とすることができる。また、通信可能なＩＣタグ３０とは、例えば、作業場に配置された複数のＩＣタグ３０のうち、ＲＦＩＤリーダ２０からの距離が所定の距離以内のＩＣタグ３０である。タグ読取部２２は、例えば、電波送受信用ＩＣ、ＣＰＵ、ＲＯＭならびにＲＡＭにより構成される。
【００４９】
タグ位置記憶部２３は、作業場に配置されている全てのＩＣタグ３０について、ＩＣタグ３０のタグＩＤと、当該ＩＣタグ３０が配置されている位置（以下「タグ位置」という。）と、を対応付けて記憶する。タグ位置は、例えば、作業場の床面に平行なＸ軸の座標と、当該床面に平行であって当該Ｘ軸と直交するＹ軸の座標と、により表される。タグ位置記憶部２３は、例えば、フラッシュメモリなどにより構成される。
【００５０】
検出位置計算部２４は、タグ読取部２２により読み取られたタグＩＤと、タグ位置記憶部２３に記憶されているタグ位置と、に基づいて、作業者の作業場における位置を求める。例えば、タグ読取部２２により読み取られたタグＩＤが１つである場合、当該タグＩＤに対応付けられてタグ位置記憶部２３に記憶されているタグ位置が、検出位置とされる。一方、複数のタグＩＤが読み出された場合、例えば、各タグＩＤに対応付けられて記憶されているタグ位置の重心が、検出位置とされる。検出位置計算部２４は、例えば、ＣＰＵ、ＲＯＭならびにＲＡＭにより構成される。
【００５１】
検出軌跡記憶部２５は、検出位置計算部２４により検出位置が供給される毎に、供給された検出位置と、計時部２１により供給された検出時刻と、を対応付けて記憶する。なお、検出軌跡記憶部２５に記憶される情報は、上述した検出軌跡情報１４２となる。検出軌跡記憶部２５は、例えば、フラッシュメモリなどにより構成される。
【００５２】
検出軌跡出力部２６は、検出軌跡記憶部２５に記憶されている検出軌跡情報１４２を読み出して、作業時間分析支援装置１０に供給する。検出軌跡出力部２６は、例えば、ＵＳＢインターフェースにより構成される。
【００５３】
ＩＣタグ３０は、ユニークなタグＩＤを記憶するＩＣである。本実施形態においては、複数のＩＣタグ３０が、作業場の床下にマトリックス状に配置されるものとする。
【００５４】
体調測定器４０は、作業者の体調を測定する。具体的には、体調測定器４０は、例えば、作業者の血圧、体温、心拍数を測定する。ここで、体調測定器４０は、測定結果を表す体調情報１５３を作業時間分析支援装置１０に供給する。本実施形態においては、体調情報１５３は、測定された作業者の血圧、体温、心拍数などに基づいて決定される体調係数により表されるものとする。なお、体調係数は、作業者の体調が良いほど高い数値とする。
【００５５】
通信ネットワーク５０は、インターネットやＬＡＮ（Ｌｏｃａｌ  Ａｒｅａ  Ｎｅｔｗｏｒｋ）などのネットワークである。通信ネットワーク５０は、作業時間分析支援装置１０と外部サーバ６０とを接続し、作業時間分析支援装置１０と外部サーバ６０との間で送受信される各種情報を中継する。
【００５６】
外部サーバ６０は、通信ネットワーク５０を介して、作業時間分析支援装置１０に、各種情報を提供する。例えば、外部サーバ６０は、理想軌跡情報１４１、体調テーブル１４３、経験年数テーブル１４４、天候テーブル１４５、明度テーブル１４６、濃度テーブル１４７、経験年数情報１５４、天候情報１５５、明度情報１５６ならびに濃度情報１５７を作業時間分析支援装置１０に提供する。なお、外部サーバ６０から提供された各種情報は、適宜、ハードディスク１４に記憶される。
【００５７】
次に、図６を参照して、作業時間分析支援システム１００の基本的な機能を説明する。
図６に示すように、作業時間分析支援システム１００は、機能的には、理想軌跡受付部１０１と、検出軌跡受付部１０２と、作業時間算出部１０３と、作業時間提示部１０４と、から構成される。
【００５８】
理想軌跡受付部１０１は、理想軌跡情報１４１を受け付ける。理想軌跡受付部１０１は、例えば、ＮＩＣ１８により構成される。
【００５９】
検出軌跡受付部１０２は、検出軌跡情報１４２を受け付ける。検出軌跡受付部１０２は、例えば、ＵＳＢインターフェース１５により構成される。
【００６０】
作業時間算出部１０３は、理想軌跡受付部１０１により受け付けられた理想軌跡情報１４１と、検出軌跡受付部１０２により受け付けられた検出軌跡情報１４２と、に基づいて、作業者が作業に要した正味の作業時間を算出する。作業時間算出部１０３は、例えば、ＣＰＵ１１、ＲＯＭ１２ならびにＲＡＭ１３により構成される。
【００６１】
作業時間算出部１０３は、開始終了位置特定部１０３１と、時刻差算出部１０３２と、無駄時間算出部１０３３と、作業時間補正部１０３４と、を備える。
【００６２】
開始終了位置特定部１０３１は、理想軌跡情報１４１に基づいて、作業者が作業を開始すべき位置（以下「開始位置」という。）と、作業者が作業を終了すべき位置（以下「終了位置」という。）と、を特定する。例えば、理想軌跡情報１４１により表される理想通過時刻のうち、最も早い時刻に対応付けられている理想通過位置が、開始位置であると特定される。また、理想軌跡情報１４１により表される理想通過時刻のうち、最も遅い時刻に対応付けられている理想通過位置が、終了位置であると特定される。
【００６３】
時刻差算出部１０３２は、検出軌跡情報１４２に基づいて、開始終了位置特定部１０３１により特定された開始位置を作業者が通過した時刻（以下「開始時刻」という。）と、開始終了位置特定部１０３１により特定された終了位置（以下「終了時刻」という。）を作業者が通過した時刻と、の時刻差を求める。例えば、検出軌跡情報１４２により表される検出位置のうち、開始位置と一致する検出位置に対応付けられている検出時刻が、開始時刻であると特定される。また、検出軌跡情報１４２により表される検出位置のうち、終了位置と一致する検出位置に対応付けられている検出時刻が、終了時刻であると特定される。そして、特定された開始時刻と、特定された終了時刻と、の時刻差が求められる。
【００６４】
無駄時間算出部１０３３は、理想軌跡情報１４１と、検出軌跡情報１４２と、に基づいて、作業者が実行すべき作業とは直接関係のない作業（以下「無関係作業」という。）のために消費された時間の総和時間（以下「無駄時間」という。）を求める。例えば、理想軌跡からの距離が、所定の閾値以上である検出位置が、検出軌跡に含まれている場合、作業者は、無関係作業のために移動したと考えることができる。このため、当該移動に費やした時間が無駄時間とされる。例えば、作業者がトイレに行く場合、トイレに行くために消費された時間が無駄時間とされる。また、例えば、理想軌跡と検出軌跡とが所定の区間で一致する場合において、当該区間を通過するのに要する理想的な時間と、当該区間を通過するのに要した実際の時間と、の時間差が、所定の閾値以上である場合、作業者は、実行すべき作業とは直接関係ない作業のために同じ場所に長時間留まっていたと考えることができる。このため、当該時間差が無駄時間とされる。
【００６５】
作業時間補正部１０３４は、時刻差算出部１０３２により求められた時刻差から、無駄時間算出部１０３３により求められた無駄時間を減算して、作業者が実行すべき作業と直接関係のある作業のために費やされた作業時間（以下、適宜「正味の作業時間」という。）を求める。
【００６６】
なお、作業時間算出部１０３は、作業時間補正部１０３４により求められた正味の作業時間を、理想軌跡受付部１０１により受け付けられた理想軌跡情報１４１、検出軌跡受付部１０２により受け付けられた検出軌跡情報１４２、ならびに、各種情報、に基づいて、適宜、補正する。
【００６７】
作業時間提示部１０４は、作業時間補正部１０３４により求められた正味の作業時間を提示する。作業時間提示部１０４は、例えば、モニター１７により構成される。
【００６８】
なお、図６には、理想軌跡情報１４１や各種情報が外部から作業時間分析支援システム１００に供給される例を示しているが、作業時間分析支援システム１００があらかじめこれらの情報を記憶していてもよい。また、検出軌跡情報１４２は、外部から作業時間分析支援システム１００に供給される情報ではなく、作業時間分析支援システム１００が自ら計算などにより求める情報であってもよい。
【００６９】
次に、本実施形態に係る作業時間分析支援システム１００の動作について説明する。まず、図７を参照して、作業時間分析支援システム１００が備えるＲＦＩＤリーダ２０が実行する検出軌跡取得処理を説明する。
【００７０】
まず、ＲＦＩＤリーダ２０は、現在時刻が検出開始時刻であるか否かを判別する（ステップＳ１０１）。具体的には、タグ読取部２２が、計時部２１から供給された現在時刻が、あらかじめＲＯＭに記憶されている検出開始時刻と一致するか否かを判別する。ＲＦＩＤリーダ２０は、検出開始時刻ではないと判別すると（ステップＳ１０１：ＮＯ）、再度、ステップＳ１０１の処理を実行する。
【００７１】
一方、ＲＦＩＤリーダ２０は、現在時刻が検出開始時刻であると判別すると（ステップＳ１０１：ＹＥＳ）、現在時刻が検出時刻であるか否かを判別する（ステップＳ１０２）。具体的には、タグ読取部２２が、計時部２１から供給された現在時刻が、あらかじめＲＯＭに記憶されている検出時刻と一致するか否かを判別する。ＲＦＩＤリーダ２０は、現在時刻が検出時刻ではないと判別すると（ステップＳ１０２：ＮＯ）、再度、ステップＳ１０２の処理を実行する。
【００７２】
ＲＦＩＤリーダ２０は、現在時刻が検出時刻であると判別すると（ステップＳ１０２：ＹＥＳ）、タグＩＤを読み取る（ステップＳ１０３）。具体的には、タグ読取部２２が、電波などにより、ＩＣタグ３０に記憶されているタグＩＤを読み取る。
【００７３】
ＲＦＩＤリーダ２０は、ステップＳ１０３の処理を終了すると、作業者がいると推定される検出位置を計算する（ステップＳ１０４）。具体的には、検出位置計算部２４が、ステップＳ１０３で読み取られたタグＩＤに対応付けられてタグ位置記憶部２３に記憶されているタグ位置の重心を求め、求められた重心を作業者の検出位置とする。
【００７４】
ＲＦＩＤリーダ２０は、ステップＳ１０４の処理を終了すると、検出時刻と検出位置とを対応付けて記憶する（ステップＳ１０５）。具体的には、検出軌跡記憶部２５が、ステップＳ１０２において検出時刻と判別された現在時刻と、ステップＳ１０４において計算された検出位置と、を対応づけて記憶する。
【００７５】
ＲＦＩＤリーダ２０は、ステップＳ１０５の処理を終了すると、現在時刻が検出終了時刻であるか否かを判別する（ステップＳ１０６）。具体的には、タグ読取部２２が、計時部２１から供給された現在時刻が、あらかじめＲＯＭに記憶されている検出終了時刻と一致するか否かを判別する。
【００７６】
ＲＦＩＤリーダ２０は、現在時刻が検出終了時刻ではないと判別すると（ステップＳ１０６：ＮＯ）、ステップＳ１０２に処理を戻す。一方、ＲＦＩＤリーダ２０は、現在時刻が検出終了時刻であると判別すると（ステップＳ１０６：ＹＥＳ）、検出軌跡取得処理を終了する。
【００７７】
検出軌跡取得処理により、検出軌跡記憶部２５に、検出軌跡情報１４２が記憶される。
【００７８】
ここで、図８と図９とを参照して、検出軌跡取得処理において取得される検出軌跡情報１４２について説明する。
【００７９】
まず、図８を参照して、理想軌跡情報１４１と検出軌跡情報１４２とについて説明する。図８は、作業場を様子を表す平面図である。図８に示すように、作業場２００には、第１設備２０１と、第２設備２０２と、材料置き場２０３と、金型置き場２０４と、検査室２０５と、休憩室２０６と、トイレ２０７と、が配置されている。
【００８０】
本実施形態においては、作業者は、第１設備２０１において作業を開始し、金型置き場２０４に移動して金型を持ち、検査室２０５に移動して金型を検査し、第２設備２０２に移動して作業を終了するものとして説明する。作業者がこのような作業を行う場合、作業者が作業中に通るべき理想のルートは、図８において破線で示す理想軌跡２１０となる。従って、理想軌跡情報１４１は、この破線で示される理想軌跡２１０上の位置と、作業者が当該位置を通過すべき時刻と、を表す情報となる。
【００８１】
一方、実際には、作業者は、第１設備２０１において作業を開始し、材料置き場２０３に材料を取りに行き、再び第１設備２０１に戻り、金型置き場２０４に移動して金型を持ち、検査室２０５に移動して金型を検査し、トイレ２０７に移動し、第２設備２０２に移動して作業を終了したとする。この場合、作業者が作業中に通った実際のルートは、図８において実線で示す検出軌跡２１１となる。従って、検出軌跡情報１４２は、この実線で示される検出軌跡２１１上の位置と、作業者が当該位置を通過した時刻と、を表す情報となる。
【００８２】
次に、図９を参照して、検出位置を算出する手法について説明する。なお、作業者が作業中に通った実際のルートは、図９において実線で示す検出軌跡２１１であるものとして説明する。また、図９において、左右方向に延びる軸をＸ軸、上下方向に延びる軸をＹ軸とする。
【００８３】
例えば、ある検出時刻ｔ０において、作業者が位置Ｐ０にいたとする。このとき、作業場にマトリックス状に配置された複数のＩＣタグ３０のうち、ＲＦＩＤリーダ２０によりタグＩＤが読み取られるＩＣタグ３０は、図９において縦縞表示され、位置Ｐ０の近傍に配置されている、ＩＣタグ３１とＩＣタグ３２との２つとなる。この場合、ＩＣタグ３１から読み出されたタグＩＤに対応付けられてタグ位置記憶部２３に記憶されているタグ位置により表されるＩＣタグ３１の座標と、ＩＣタグ３２から読み出されたタグＩＤに対応付けられてタグ位置記憶部２３に記憶されているタグ位置により表されるＩＣタグ３２の座標と、の２つの座標の重心により表される位置が検出位置とされる。
【００８４】
また、別のある検出時刻ｔ１において、作業者が位置Ｐ１にいたとする。このとき、ＲＦＩＤリーダ２０によりタグＩＤが読み取られるＩＣタグ３０は、図９において塗りつぶし表示され、位置Ｐ１の近傍に配置されている、ＩＣタグ３３の１つとなる。この場合、ＩＣタグ３３から読み出されたタグＩＤに対応付けられてタグ位置記憶部２３に記憶されているタグ位置により表されるＩＣタグ３３の座標により表される位置が検出位置とされる。
【００８５】
さらに、別のある検出時刻ｔ２において、作業者が位置Ｐ２にいたとする。このとき、ＲＦＩＤリーダ２０によりタグＩＤが読み取られるＩＣタグ３０は、図９において横縞表示され、位置Ｐ２の近傍に配置されている、ＩＣタグ３４〜３７の４つとなる。この場合、タグ位置記憶部２３からそれぞれ取得された、ＩＣタグ３４〜３７の４つの座標の重心により表される位置が検出位置とされる。検出軌跡情報１４２は、このようにして求められた検出位置と検出時刻とからなる複数の組により表される。
【００８６】
次に、図１０を参照して、作業時間分析支援システム１００が備える作業時間分析支援装置１０が実行する作業時間提示処理について説明する。なお、作業時間提示処理は、検出軌跡取得処理により取得された検出軌跡情報１４２などに基づいて、正味の作業時間ならびに当該正味の作業時間を補正した作業時間を求める処理である。ここで、図２に示す各種の情報は、作業時間提示処理に先立ってハードディスク１４に記憶されているものとして説明する。また、作業時間分析支援装置１０は、例えば、作業時間提示処理を開始する旨の指示入力をユーザから受け付けると、作業時間提示処理を開始する。
【００８７】
まず、ＣＰＵ１１は、ハードディスク１４に記憶されている理想軌跡情報１４１に基づいて、開始位置と終了位置とを特定する（ステップＳ２０１）。例えば、ＣＰＵ１１は、理想軌跡情報１４１により表される複数の理想通過位置のうち、対応付けられている理想通過時刻が最も早い理想通過位置を開始位置とし、対応付けられている理想通過時刻が最も遅い理想通過位置を終了位置とする。
【００８８】
ＣＰＵ１１は、ステップＳ２０１の処理を終了すると、ハードディスク１４に記憶されている検出軌跡情報１４２に基づいて、開始時刻と終了時刻とを特定する（ステップＳ２０２）。例えば、ＣＰＵ１１は、検出軌跡情報１４２により表される複数の検出位置のうち、開始位置と一致する検出位置に対応付けられている検出時刻を開始時刻とし、終了位置と一致する検出位置に対応付けられている検出時刻を終了時刻とする。
【００８９】
ＣＰＵ１１は、ステップＳ２０２の処理を終了すると、ステップＳ２０２で特定された、開始時刻と終了時刻との時刻差を算出する（ステップＳ２０３）。なお、算出される時刻差は、作業者が実行すべき作業を開始してから終了するまでの時間であるが、この時間には、無関係作業のために費やされた無駄時間を含んでいる可能性がある。
【００９０】
ＣＰＵ１１は、ステップＳ２０３の処理を終了すると、理想軌跡情報１４１と検出軌跡情報１４２とに基づいて、作業者が無関係作業のために要した無駄時間を算出する（ステップＳ２０４）。無関係作業とは、例えば、図８に示す例では、作業者が第１設備２０１から材料置き場２０３に移動して再び第１設備２０１に戻る作業や、作業者がトイレ２０７に立ち寄る作業である。作業中に無関係作業が発生したか否かを判別する手法は任意である。
【００９１】
例えば、検出軌跡情報１４２により表される検出位置のうち、理想軌跡情報１４１により表される理想軌跡から所定の距離以上離れている検出位置が存在する場合に、無関係作業が発生したと判別することができる。また、検出軌跡情報１４２によって作業者が長時間留まっていると判定される検出位置が検出軌跡に存在する場合において、理想軌跡情報１４１によっては当該検出位置には作業者は長時間留まらないと判定される場合は、無関係作業が発生したと判別することができる。つまり、理想軌跡と検出軌跡とが一致する場合であっても、作業者が、検出軌跡上のある検出位置において、理想的な滞在時間よりも遙かに長時間停滞している場合は、作業者が無関係作業を行っていると判別することができる。
【００９２】
このように、無関係作業が発生したと判別される場合、当該無関係作業を行うために費やされた無駄時間をステップＳ２０３で算出された時刻差から減ずることにより、作業者が行うべき作業に費やした正味の作業時間を求めることができる。なお、無駄時間は、理想軌跡情報１４１と検出軌跡情報１４２とに基づいて、推定することが可能である。例えば、検出軌跡上の検出位置のうち、理想軌跡上から離れ始めたと考えられる検出位置に対応付けられる検出時刻と、検出軌跡上の検出位置のうち、理想軌跡上に復帰したと考えられる検出位置に対応付けられる検出時刻と、の時間差を、無駄時間とする。
【００９３】
ＣＰＵ１１は、ステップＳ２０４の処理を終了すると、ステップＳ２０３で求められた時刻差から、ステップＳ２０４で求められた無駄時間を減算することにより、正味の作業時間を算出する（ステップＳ２０５）。
【００９４】
ＣＰＵ１１は、ステップＳ２０５の処理を終了すると、ハードディスク１４に記憶されている、体調テーブル１４３と体調情報１５３とに基づいて、ステップＳ２０５で求められた作業時間を補正する（ステップＳ２０６）。具体的には、ＣＰＵ１１は、体調情報１５３により表される体調係数に対応付けられている作業速度係数を体調テーブル１４３から読み出し、ステップＳ２０５で求められた作業時間に当該読み出した作業速度係数を乗じる。これにより、ステップＳ２０５で求められた作業時間が、作業者の体調に基づいて補正される。例えば、作業者の体調が良いときは、作業時間は補正されないが、作業者の体調が悪いときは、作業時間が短くなるように補正される。
【００９５】
ＣＰＵ１１は、ステップＳ２０６の処理を終了すると、ハードディスク１４に記憶されている、経験年数テーブル１４４と経験年数情報１５４とに基づいて、ステップＳ２０６で求められた作業時間を補正する（ステップＳ２０７）。具体的には、ＣＰＵ１１は、経験年数情報１５４により表される経験年数に対応付けられている作業速度係数を経験年数テーブル１４４から読み出し、ステップＳ２０６で求められた作業時間に当該読み出した作業速度係数を乗じる。これにより、ステップＳ２０６で求められた作業時間が、作業者の経験年数に基づいて補正される。例えば、作業者の経験年数が長いときは、作業時間は補正されないが、作業者の経験年数が短いときは、作業時間が短くなるように補正される。
【００９６】
ＣＰＵ１１は、ステップＳ２０７の処理を終了すると、ハードディスク１４に記憶されている、天候テーブル１４５と天候情報１５５とに基づいて、ステップＳ２０７で求められた作業時間を補正する（ステップＳ２０８）。具体的には、ＣＰＵ１１は、天候情報１５５により表される天候に対応付けられている作業速度係数を天候テーブル１４５から読み出し、ステップＳ２０７で求められた作業時間に当該読み出した作業速度係数を乗じる。これにより、ステップＳ２０７で求められた作業時間が、作業時の天候に基づいて補正される。例えば、作業時の天候が良いときは、作業時間は補正されないが、作業時の天候が悪いときは、作業時間が短くなるように補正される。
【００９７】
ＣＰＵ１１は、ステップＳ２０８の処理を終了すると、ハードディスク１４に記憶されている明度テーブル１４６と明度情報１５６とに基づいて、ステップＳ２０８で求められた作業時間を補正する（ステップＳ２０９）。具体的には、ＣＰＵ１１は、明度情報１５６により表される照度レベルに対応付けられている作業速度係数を明度テーブル１４６から読み出し、ステップＳ２０８で求められた作業時間に当該読み出した作業速度係数を乗じる。これにより、ステップＳ２０８で求められた作業時間が、作業場の明度に基づいて補正される。例えば、作業場の明度が高い（明るい）ときは、作業時間は補正されないが、作業場の明度が低い（暗い）ときは、作業時間が短くなるように補正される。
【００９８】
ＣＰＵ１１は、ステップＳ２０９の処理を終了すると、ハードディスク１４に記憶されている、濃度テーブル１４７と濃度情報１５７とに基づいて、ステップＳ２０９で求められた作業時間を補正する（ステップＳ２１０）。具体的には、ＣＰＵ１１は、濃度情報１５７により表される浮遊粒子物質量に対応付けられている作業速度係数を濃度テーブル１４７から読み出し、ステップＳ２０９で求められた作業時間に当該読み出した作業速度係数を乗じる。これにより、ステップＳ２０８により求められた作業時間が、生産に用いられる原材料に含まれる浮遊粒子物質量に基づいて補正される。例えば、浮遊粒子物質量が小さいときは、作業時間は補正されないが、浮遊粒子物質量が大きいときは、作業時間が短くなるように補正される。
【００９９】
ＣＰＵ１１は、ステップＳ２１０の処理を終了すると、ステップＳ２１０で求められた作業時間を、ユーザに提示する（ステップＳ２１１）。
【０１００】
ＣＰＵ１１は、ステップＳ２１１の処理を終了すると作業時間提示処理を終了する。
【０１０１】
本実施形態に係る作業時間分析支援システム１００によれば、作業者が実行すべき作業に要した正味の作業時間を、ユーザに提示することができる。ここで、正味の作業時間は、作業者が実行すべき作業とは関係ない作業のために費やされた時間が除外された時間である。このため、ユーザは、作業者が実行すべき作業に費やされた正味の作業時間のみを知ることができる。また、作業者の体調、作業者の経験年数、作業時の天候、作業場の明度、ならびに、生産に用いられる原材料に含まれる浮遊粒子物質量などを考慮して、正味の作業時間が補正される。このため、提示される作業時間は、作業者が作業をする上でのコンディションの影響が低減されたものとなる。
【０１０２】
以上、本発明の実施形態を説明したが、本発明を実施するにあたっては、種々の形態による変形及び応用が可能であり、上記実施形態に限られるものではない。
【０１０３】
上記実施形態においては、ある作業を実行するのに要した現実の時間（ステップＳ２０３で求めた時刻差）が、当該作業を実行するのに要すると予測された時間よりも長い場合に、無駄な作業のために費やした時間（無駄時間）があると考えて、当該無駄時間を当該測定された現実の時間から減じた時間を正味の作業時間として求める例を示した（ステップＳ２０３〜ステップＳ２０５）。しかし、本発明においては、ある作業を実行するのに要した現実の時間が、当該作業を実行するのに要すると予測された時間よりも短い場合に、その原因に応じて、適切に正味の作業時間を求めることも可能である。
【０１０４】
例えば、その原因が、作業者が実行すべき作業を失念したことである場合、当該失念した作業を実行するために要する時間により、測定された現実の時間を補正する必要がある。従って、当該失念した作業を実行するのに要すると予測される時間を当該測定された現実の時間に加算した時間を、正味の作業時間とする。なお、理想軌跡上の所定の位置に近い位置が検出軌跡上にない場合、及び／又は、測定された現実の時間と予測された時間との時間差が所定の閾値よりも大きい場合に、作業を失念したことがその原因であると考えることができる。
【０１０５】
一方、その原因が、作業効率の向上（例えば、材料の改良、作業手順の改善、作業者の慣れ、もしくは、作業場のレイアウトの微調整。）である場合、測定された現実の時間が正味の作業時間と考えることができる。従って、当該測定された現実の時間そのものを、正味の作業時間とする。なお、理想軌跡上の全ての位置に近い位置が検出軌跡上にある場合、及び／又は、測定された現実の時間と予測された時間との時間差が所定の閾値よりも小さい場合に、作業効率の向上がその原因であると考えることができる。
【０１０６】
また、作業効率の向上がその原因であると考えられる場合、図７に示す検出軌跡取得処理により取得された検出軌跡情報１４２に基づいて、理想軌跡情報１４１を修正するように作業時間分析支援システム１００を構成してもよい。例えば、取得された検出軌跡情報１４２そのものを理想軌跡情報１４１として採用することもできるし、取得された検出軌跡情報１４２を用いて、理想軌跡情報１４１の一部（現実に要した時間が予測された時間よりも短い作業を実行する際に作業者が通過した軌跡を表す部分）を書き換えることもできる。
【０１０７】
ここで、図１１を参照して、変形例に係る作業時間分析システムが実行する作業時間提示処理について説明する。
【０１０８】
まず、ＣＰＵ１１は、ハードディスク１４に記憶されている理想軌跡情報１４１に基づいて、開始位置と終了位置とを特定する（ステップＳ３０１）。
【０１０９】
ＣＰＵ１１は、ステップＳ３０１の処理を終了すると、ハードディスク１４に記憶されている検出軌跡情報１４２に基づいて、開始時刻と終了時刻とを特定する（ステップＳ３０２）。
【０１１０】
ＣＰＵ１１は、ステップＳ３０２の処理を終了すると、ステップＳ３０２で特定された、開始時刻と終了時刻との時刻差を算出する（ステップＳ３０３）。
【０１１１】
ＣＰＵ１１は、ステップＳ３０３の処理を終了すると、ハードディスク１４に記憶されている理想軌跡情報１４１に基づいて、理想の時刻差を算出する（ステップＳ３０４）。具体的には、ＣＰＵ１１は、理想軌跡情報１４１により表される理想通過時刻のうち最も早い理想通過時刻と、理想軌跡情報１４１により表される理想通過時刻のうち最も遅い理想通過時刻と、の時刻差を求めて、理想の時刻差とする。
【０１１２】
ＣＰＵ１１は、ステップＳ３０４の処理を終了すると、ステップＳ３０３で求められた時刻差が、ステップＳ３０４で求められた理想の時刻差以上であるか否かを判別する（ステップＳ３０５）。
【０１１３】
ＣＰＵ１１は、ステップＳ３０３で求められた時刻差が、ステップＳ３０４で求められた理想の時刻差以上であると判別すると（ステップＳ３０５：ＹＥＳ）、無駄時間を算出する（ステップＳ３０６）。そして、ＣＰＵ１１は、ステップＳ３０６の処理を終了すると、ステップＳ３０３で求められた時刻差から、ステップＳ３０６で求められた無駄時間を減算することにより、正味の作業時間を算出する（ステップＳ３０７）。
【０１１４】
一方、ＣＰＵ１１は、ステップＳ３０３で求められた時刻差が、ステップＳ３０４で求められた理想の時刻差以上ではないと判別すると（ステップＳ３０５：ＮＯ）、ステップＳ３０３で求められた時刻差とステップＳ３０４で求められた理想の時刻差との時間差が所定の閾値以上であるか否かを判別する（ステップＳ３０９）。
【０１１５】
ＣＰＵ１１は、ステップＳ３０３で求められた時刻差とステップＳ３０４で求められた理想の時刻差との時間差が所定の閾値以上であると判別すると（ステップＳ３０９：ＹＥＳ）、失念時間を算出する（ステップＳ３１０）。失念時間は、作業者が実行すべき作業であって、当該作業者が失念した作業を実行するために要すると予測される時間である。この失念時間は、無駄時間と同様に、理想軌跡情報１４１と検出軌跡情報１４２とから求めることができる。ＣＰＵ１１は、ステップＳ３０９の処理を終了すると、ステップＳ３０３で求められた時刻差に、ステップＳ３０９で求められた失念時間を加算することにより、正味の作業時間を算出する（ステップＳ３１１）。
【０１１６】
ＣＰＵ１１は、ステップＳ３０３で求められた時刻差とステップＳ３０４で求められた理想の時刻差との時間差が所定の閾値以上ではないと判別すると（ステップＳ３０９：ＮＯ）、正味の作業時間を算出する（ステップＳ３１２）。なお、ここでは、ＣＰＵ１１は、ステップＳ３０３で求められた時刻差を補正せず、当該未補正の時刻差を正味の作業時間とする。ＣＰＵ１１は、ステップＳ３１２の処理を終了すると、ハードディスク１４に記憶されている検出軌跡情報１４２に基づいて、ハードディスク１４に記憶されている理想軌跡情報１４１を更新する。典型的には、理想軌跡情報１４１を検出軌跡情報１４２で上書きする。
【０１１７】
ＣＰＵ１１は、ステップＳ３０７、ステップＳ３１１、もしくは、ステップＳ３１３の処理を終了すると、ステップＳ３０７、ステップＳ３１１、もしくは、ステップＳ３１２で求められた正味の作業時間を、ユーザに提示する（ステップＳ３０８）。
【０１１８】
ＣＰＵ１１は、ステップＳ３０８の処理を終了すると作業時間提示処理を終了する。なお、ステップＳ３０９において、ステップＳ３０３で算出された時刻差とステップＳ３０４で算出された理想の時刻差との時間差が閾値以上であるか否かに加え（もしくは代えて）、理想軌跡上の所定の位置に近い位置が検出軌跡上にないか否かを判別基準としてもよい。これにより、ステップＳ３０３で算出された時刻差がステップＳ３０４で算出された理想の時刻差よりも短い理由が、失念した作業があるためであるか、もしくは、作業効率が向上したためであるかのいずれであるかを、より正確に判別することができるようになる。なお、図１１においては、正味の作業時間を補正するステップＳ２０６〜ステップＳ２１０の処理を省略したが、これらの補正を行ってもよい。
【０１１９】
上記実施形態においては、全ての補正要因（無駄時間、作業者の体調、作業者の経験年数、作業時の天候、作業場の明度、ならびに、生産に用いられる原材料に含まれる浮遊粒子物質量）を考慮して補正された作業時間がユーザに提示される例を示した。しかし、これら全ての補正要因のうちの、特定の要因のみを考慮して補正された作業時間がユーザに提示されるようにしてもよい。また、補正されていない作業時間がユーザに提示されるようにしてもよい。
【０１２０】
上記実施形態においては、作業者がＲＦＩＤリーダ２０を携帯し、作業場の床面下に複数のＩＣタグ３０が配置される例を示した。しかし、作業者がＩＣタグ３０を携帯し（例えば、靴底にＩＣタグ３０を埋め込む）、作業場の床面下に複数のＲＦＩＤリーダ２０を設置してもよい。
【０１２１】
上記実施形態においては、ＲＦＩＤリーダ２０とＩＣタグ３０とを用いて、作業者が通過した位置の軌跡ならびに当該軌跡上の位置の通過時刻を求める例を示した。しかし、作業者が通過した位置の軌跡ならびに当該軌跡上の位置の通過時刻を求める手法は任意である。例えば、バーコードリーダとバーコードとによりこれらを求めても良い。あるいは、撮像装置と画像解析装置とによりこれらを求めても良い。
【０１２２】
上記実施形態においては、検出軌跡情報１４２と体調情報１５３とが、作業時間提示処理に先立ってハードディスク１４に記憶されている例を示した。しかし、これらの情報は、作業時間提示処理の実行中に、ハードディスク１４に記憶されるようにしてもよい。この場合、例えば、ＲＦＩＤリーダ２０と体調測定器４０と作業時間分析支援装置１０とが無線通信機能を備えるようにする。
【０１２３】
上記実施形態においては、ＲＦＩＤリーダ２０が、作業者が通過した位置を計算する例を示した。しかし、作業者が通過した位置は、作業時間分析支援装置１０が計算するようにしてもよい。この場合、作業時間分析支援装置１０は、タグ位置記憶部２３と検出位置計算部２４とを備え、ＲＦＩＤリーダ２０は、読み出した少なくとも１つのタグＩＤと当該タグＩＤを読み出した検出時刻とを、作業時間分析支援装置１０に供給する。
【０１２４】
上記実施形態においては、ＩＣタグ３０には当該ＩＣタグ３０のタグＩＤが記憶されている例を示した。しかし、ＩＣタグ３０に当該ＩＣタグ３０の設置位置を表す情報が記憶されていてもよい。この場合、タグＩＤからタグ位置を求める工程が不要となる。
【０１２５】
上記実施形態においては、複数のタグＩＤが読み取られた場合に、これらの複数のタグＩＤに対応するタグ位置の重心を検出位置とする例を示した。しかし、ＲＦＩＤリーダ２０がＩＣタグ３０からタグＩＤを読み取る際の電波の強弱に基づいて、作業者のより正確な位置を推定して、検出位置としてもよい。
【０１２６】
上記実施形態においては、作業時の天候に基づいて、作業時間を補正する例を示した。しかし、作業場の気温に基づいて、作業時間を補正してもよい。
【０１２７】
上記実施形態においては、ＲＦＩＤリーダ２０とＩＣタグ３０とを用いて、作業者が特定の位置（例えば、作業開始位置）にいることを検出する例を示した。しかし、特定の位置に設置されたボタンを作業者が押したことを検出することで、作業者が当該特定の位置にいることを検出してもよい。また、特定の位置に設置された人感センサーが作業者を検出することで、作業者が当該特定の位置にいることを検出してもよい。また、特定の位置に設置された撮像装置と当該撮像装置により撮像された画像に撮像されている作業者を認識することが可能な画像認識装置とを用いて、作業者が当該特定の位置にいることを検出してもよい。
【０１２８】
上記実施形態においては、無駄時間、作業者の体調、作業者の経験年数、作業時の天候、作業場の明度、ならびに、生産に用いられる原材料に含まれる浮遊粒子物質量、の作業時間に影響を与える要因のそれぞれが、他の要因と独立しているものとして作業時間を補正する例を示した。しかし、これらの要因が、互いに依存するものとして作業時間を補正してもよい。
【０１２９】
例えば、作業者の体調が良いときに無関係作業が発生した場合は、無駄時間に応じた補正を実行する。一方、作業者の体調が悪いときに無関係作業が発生した場合は、作業者の体調に応じた補正のみを実行し、無駄時間に応じた補正は実行しない、あるいは、作業者の体調に応じた補正は実行せず、無駄時間に応じた補正のみを実行する。これにより、重複して作業時間を補正することにより、過度に補正してしまうことを防止することができる。
【０１３０】
例えば、作業者の作業経験年数が長い場合は、作業場の明度に応じた作業時間の補正は行わないようにする。経験年数が長くなれば、作業場の明度に依存しないで作業が進められると考えられる場合に有効である。
【０１３１】
また、上記実施形態に係る作業時間分析支援システム１００を構成する作業時間分析支援装置１０は、専用のハードウェアに限られるものではなく、通常のコンピュータシステムによっても実現することができる。
【０１３２】
例えば、上記実施形態では、作業時間分析支援装置１０において、動作プログラムがメモリ等に予め記憶されているものとして説明した。しかし、上述の処理動作を実行させるためのプログラムを、フレキシブルディスク、ＣＤ−ＲＯＭ（Ｃｏｍｐａｃｔ  Ｄｉｓｋ  Ｒｅａｄ−Ｏｎｌｙ  Ｍｅｍｏｒｙ）、ＤＶＤ（Ｄｉｇｉｔａｌ  Ｖｅｒｓａｔｉｌｅ  Ｄｉｓｋ）、ＭＯ（Ｍａｇｎｅｔｏ−Ｏｐｔｉｃａｌ  Ｄｉｓｋ）等のコンピュータ読み取り可能な記録媒体に格納して配布し、そのプログラムをコンピュータにインストールすることにより、上述の処理動作を実行する装置を構成してもよい。
【０１３３】
また、プログラムをインターネット等の通信ネットワーク上の所定のサーバ装置が有するディスク装置等に格納しておき、例えば、搬送波に重畳させて、コンピュータにダウンロード等するようにしてもよい。さらに、通信ネットワークを介してプログラムを転送しながら起動実行することによっても、上述の処理を達成することができる。
また、上述の機能を、ＯＳ（Ｏｐｅｒａｔｉｎｇ  Ｓｙｓｔｅｍ）が分担して実現する場合又はＯＳとアプリケーションとの協働により実現する場合等には、ＯＳ以外の部分のみを媒体に格納して配布してもよく、また、コンピュータにダウンロード等してもよい。
【符号の説明】
【０１３４】
１０  作業時間分析支援装置
１１  ＣＰＵ
１２  ＲＯＭ
１３  ＲＡＭ
１４  ハードディスク
１５  ＵＳＢインターフェース
１６  キーボード
１７  モニター
１８  ＮＩＣ
２０  ＲＦＩＤリーダ
２１  計時部
２２  タグ読取部
２３  タグ位置記憶部
２４  検出位置計算部
２５  検出軌跡記憶部
２６  検出軌跡出力部
３０〜３７  ＩＣタグ
４０  体調測定器
５０  通信ネットワーク
６０  外部サーバ
１００  作業時間分析支援システム
１０１  理想軌跡受付部
１０２  検出軌跡受付部
１０３  作業時間算出部
１０４  作業時間提示部
１４１  理想軌跡情報
１４２  検出軌跡情報
１４３  体調テーブル
１４４  経験年数テーブル
１４５  天候テーブル
１４６  明度テーブル
１４７  濃度テーブル
１５３  体調情報
１５４  経験年数情報
１５５  天候情報
１５６  明度情報
１５７  濃度情報
２００  作業場
２０１  第１設備
２０２  第２設備
２０３  材料置き場
２０４  金型置き場
２０５  検査室
２０６  休憩室
２０７  トイレ
２１０  理想軌跡
２１１  検出軌跡
１０３１  開始終了位置特定部
１０３２  時刻差算出部
１０３３  無駄時間算出部
１０３４  作業時間補正部
【先行技術文献】
【特許文献】
【０１３５】
【特許文献１】特開２００８−２２５７７１号公報
【図１】
0005434455.tif 000002
【図２】
0005434455.tif 000003
【図３】
0005434455.tif 000004
【図４】
0005434455.tif 000005
【図５】
0005434455.tif 000006
【図６】
0005434455.tif 000007
【図７】
0005434455.tif 000008
【図８】
0005434455.tif 000009
【図９】
0005434455.tif 000010
【図１０】
0005434455.tif 000011
【図１１】
0005434455.tif 000012